(57)【要約】【課題】部品の仕様変更に容易に対応することが可能なテーブル用ストッパを提供する。【解決手段】座席の背凭れ１の背面側に設けられた起倒可能なテーブル１０を、ロックおよびロック解除するテーブル用ストッパ２０であり、背凭れ１の背面側に取り付けるベース２１と、ベース２１に移動可能に支持されたラッチ３０と、ベース２１に固定されたカバー４０を有する。ラッチ３０は、テーブル１０を格納状態にロックする拘束位置と、ロックを解除する解除位置との間を移動可能に支持される。カバー４０は、ベース２１とは別体であり、複数ある仕様の中から予め選択されたものがベース２１に後付けされる。【選択図】図１
2020082888.tif 000002
【特許請求の範囲】
【請求項１】
座席の背凭れの背面側に設けられ、該背面に沿わせて格納する格納状態と、該格納状態より後方に倒して使用する使用状態とに起倒可能なテーブルを、前記格納状態にロックおよびロック解除するためのテーブル用ストッパにおいて、
前記背凭れの背面側に取り付けるベースと、
前記ベースに対して移動可能に支持されたラッチと、
前記ベースに固定されたカバーと、を有してなり、
前記ラッチは、前記ベースに対して、前記テーブルを格納状態にロックする拘束位置と、前記テーブルのロックを解除する解除位置との間を移動可能に支持され、
前記カバーは、前記ベースとは別体であり、複数ある仕様の中から選択されたものが前記ベースに後付けされたことを特徴とするテーブル用ストッパ。
【請求項２】
前記ラッチは、その移動に伴って前記ベースの一端より出没し、前記テーブルが格納状態にあるときの端縁部の一面に係脱する爪部を備え、
前記カバーは、前記ベースの一端より延出して、前記テーブルが格納状態にあるときの端縁部の他面が当接する受け部を備え、
前記受け部は、前記ラッチが拘束位置にあるとき対向する前記爪部との距離が、前記テーブルの端縁部の厚さ寸法に対応して設けられたことを特徴とする請求項１に記載のテーブル用ストッパ。
【請求項３】
前記ラッチは、前記拘束位置が原位置とされ、前記解除位置に移動したとき原位置に復帰するように付勢部材により付勢され、
前記爪部の外側に、前記テーブルを使用状態から格納状態に起こすとき、前記テーブルの端縁部を押し付けることで、前記ラッチを前記付勢部材の付勢力に抗して一時的に拘束位置から解除位置に後退させるためのテーパが設けられ、
前記テーブルの端縁部が前記爪部のテーパを越えると、前記ラッチは前記付勢部材の付勢力により元の拘束位置に突出して、前記テーブルの端縁部の一面に係合するように設定されたことを特徴とする請求項２に記載のテーブル用ストッパ。
【請求項４】
前記ベースは、前記背凭れの背面上に連なる正面部と、該正面部より背凭れ側に凹んで開口し、前記ラッチの一部をスライド移動可能な状態で収納して支持する収納部と、を備え、
前記ラッチは、前記爪部に一体に連なる操作部と、該操作部の裏側より背凭れ側に突出して前記収納部にスライド移動可能に収まる支持部と、を備え、
前記カバーは、前記ラッチの可動範囲を除いて前記ベースの正面部を覆う表面部と、該表面部の一端より背凭れ側に延出し前記支持部が当接することで前記ラッチのスライド移動を規制する底面部と、を備え、
前記受け部は、前記底面部の背凭れ側より延出したことを特徴とする請求項２または３に記載のテーブル用ストッパ。
【請求項５】
前記カバーの表面部に、前記ラッチの可動範囲に亘って開口部が形成され、該開口部で前記操作部のうち前記爪部と反対側に位置する一端が対向する端縁と、前記操作部の一端とが互いに対向する部位の少なくとも何れか一方に、各部位間の隙間が外側に広がるテーパが設けられたことを特徴とする請求項４に記載のテーブル用ストッパ。
【発明の詳細な説明】
【技術分野】
【０００１】
本発明は、座席の背凭れの背面側に設けられた起倒可能なテーブルを、背凭れの背面に沿わせて格納する状態にロックおよびロック解除するテーブル用ストッパに関する。
【背景技術】
【０００２】
従来より、鉄道車両等に装備される乗物用の座席では、背凭れの背面側にテーブルが設けられて、後方座席の着座者がテーブルを使用することができるものが知られている。ここでテーブルは、使用しないときは背凭れの背面に沿わせて格納される一方、使用するときに背凭れの後方へ略水平に倒した状態で、飲食物等を置くことができるように構成されていた。
【０００３】
このようなテーブルを格納した状態に保持する手段として、例えば、特許文献１に記載のように、背凭れ１０の背面１１に沿わせたテーブル２０の上向きとなる端縁部に係脱する回転式のロック部材３０が知られている。ロック部材３０は、背凭れ１０の背面１１に固定されたベース部材５０の表面側に回転可能に支持されており、手動で回転操作するものであった。
【０００４】
ロック部材３０は、その先端の保持部３２が背凭れ１０の背面１１に沿わせたテーブル２０の端縁部に重なる位置に回転させると、テーブル２０の端縁部は、保持部３２と背凭れ１０の背面１１との間に挟まれてロックされる。一方、ロック部材３０を、保持部３２がテーブル２０の端縁部に重ならない位置まで回転させれば、ロックは解除される。
【先行技術文献】
【特許文献】
【０００５】
【特許文献１】特開２０１５−１３１０７４号公報
【発明の概要】
【発明が解決しようとする課題】
【０００６】
しかしながら、前述した特許文献１に記載のロック部材３０では、ベース部材５０が一部品として構成されており、例えばベース部材５０の正面側の色や形など一部のみ仕様を変更したい場合であっても、ベース部材５０全体を構成し直さなければならない。このように、一部品からなるベース部材５０では、ロック部材３０を支持する構成の要部であるにも拘わらず、部品の設計上の自由度がなく汎用性に欠けるという問題があった。
【０００７】
また、テーブル２０を格納するときは、テーブル２０の端縁部が背凭れ１０の背面１１に直接押し当てられるため、背凭れ１０の背面１１が変形ないし損傷しやすいという問題があった。かかる背面１１の変形等に起因して、ロック部材３０の保持部３２と背凭れ１０の背面１１との間の寸法が、テーブル２０の端縁部の厚さと合わなくなれば、テーブル２０の格納時のガタ付きの原因になるという問題も生じる。
【０００８】
さらに、ロック部材３０の保持部３２と背凭れ１０の背面１１との間の寸法を、事前にテーブル２０の端縁部の様々な厚さに合わせて最適な値に設計することも難しいという問題もある。ここでの設計寸法が、ベース部材５０やロック部材３０の取り付け誤差に起因して、実際のテーブル２０の端縁部の厚さと合わなくなれば、前記した背凭れ１０の背面１１が変形した場合と同様に、テーブル２０の格納時のガタ付きの原因になるという問題もあった。
【０００９】
本発明は、以上のような従来の技術の有する問題点に着目してなされたものであり、部品の仕様の変更に容易に対応することが可能であり、テーブルを背凭れの背面に沿わせて格納するときに確実にテーブルを受けることができると共に、様々な厚さのテーブルにも容易に適用することができるテーブル用ストッパを提供することを目的としている。
【課題を解決するための手段】
【００１０】
前述した目的を達成するための本発明の要旨とするところは、以下の各項の発明に存する。  
［１］座席の背凭れ（１）の背面側に設けられ、該背面に沿わせて格納する格納状態と、該格納状態より後方に倒して使用する使用状態とに起倒可能なテーブル（１０）を、前記格納状態にロックおよびロック解除するためのテーブル用ストッパ（２０）において、
前記背凭れ（１）の背面側に取り付けるベース（２１）と、
前記ベース（２１）に対して移動可能に支持されたラッチ（３０）と、
前記ベース（２１）に固定されたカバー（４０）と、を有してなり、
前記ラッチ（３０）は、前記ベース（２１）に対して、前記テーブル（１０）を格納状態にロックする拘束位置と、前記テーブル（１０）のロックを解除する解除位置との間を移動可能に支持され、
前記カバー（４０）は、前記ベース（２１）とは別体であり、複数ある仕様の中から選択されたものが前記ベース（２１）に後付けされたことを特徴とするテーブル用ストッパ（２０）。
【００１１】
［２］前記ラッチ（３０）は、その移動に伴って前記ベース（２１）の一端より出没し、前記テーブル（１０）が格納状態にあるときの端縁部（１２）の一面に係脱する爪部（３１）を備え、
前記カバー（４０）は、前記ベース（２１）の一端より延出して、前記テーブル（１０）が格納状態にあるときの端縁部（１２）の他面が当接する受け部（４３）を備え、
前記受け部（４３）は、前記ラッチ（３０）が拘束位置にあるとき対向する前記爪部（３１）との距離が、前記テーブル（１０）の端縁部（１２）の厚さ寸法に対応して設けられたことを特徴とする前記［１］に記載のテーブル用ストッパ（２０）。
【００１２】
［３］前記ラッチ（３０）は、前記拘束位置が原位置とされ、前記解除位置に移動したとき原位置に復帰するように付勢部材（５０）により付勢され、
前記爪部（３１）の外側に、前記テーブル（１０）を使用状態から格納状態に起こすとき、前記テーブル（１０）の端縁部（１２）を押し付けることで、前記ラッチ（３０）を前記付勢部材（５０）の付勢力に抗して一時的に拘束位置から解除位置に後退させるためのテーパ（３１ｂ）が設けられ、
前記テーブル（１０）の端縁部（１２）が前記爪部（３１）のテーパ（３１ｂ）を越えると、前記ラッチ（３０）は前記付勢部材（５０）の付勢力により元の拘束位置に突出して、前記テーブル（１０）の端縁部（１２）の一面に係合するように設定されたことを特徴とする前記［２］に記載のテーブル用ストッパ（２０）。
【００１３】
［４］前記ベース（２１）は、前記背凭れ（１）の背面上に連なる正面部（２２）と、該正面部（２２）より背凭れ（１）側に凹んで開口し、前記ラッチ（３０）の一部をスライド移動可能な状態で収納して支持する収納部（２３）と、を備え、
前記ラッチ（３０）は、前記爪部（３１）に一体に連なる操作部（３２）と、該操作部（３２）の裏側より背凭れ（１）側に突出して前記収納部（２３）にスライド移動可能に収まる支持部（３４）と、を備え、
前記カバー（４０）は、前記ラッチ（３０）の可動範囲を除いて前記ベース（２１）の正面部（２２）を覆う表面部（４１）と、該表面部（４１）の一端より背凭れ（１）側に延出し前記支持部（３４）が当接することで前記ラッチ（３０）のスライド移動を規制する底面部（４２）と、を備え、
前記受け部（４３）は、前記底面部（４２）の背凭れ（１）側より延出したことを特徴とする前記［２］または［３］に記載のテーブル用ストッパ（２０）。
【００１４】
［５］前記カバー（４０）の表面部（４１）に、前記ラッチ（３０）の可動範囲に亘って開口部（４４）が形成され、該開口部（４４）で前記操作部（３２）のうち前記爪部（３１）と反対側に位置する一端が対向する端縁（４５）と、前記操作部（３２）の一端とが互いに対向する部位の少なくとも何れか一方に、各部位間の隙間が外側に広がるテーパ（４５ａ）が設けられたことを特徴とする前記［４］に記載のテーブル用ストッパ（２０）。
【００１５】
次に、前述した解決手段に基づく作用を説明する。
前記［１］に記載のテーブル用ストッパ（２０）によれば、ベース（２１）が背凭れ（１）の背面側に取り付けられ、ベース（２１）に対して移動可能に支持されたラッチ（３０）によって、テーブル（１０）を格納状態にロックおよびロック解除する。ベース（２１）とは別体のカバー（４０）は、複数ある仕様の中から選択されたものがベース（２１）に後付けされる。
【００１６】
このように、ベース（２１）に対してカバー（４０）を後付けするから、カバー（４０）の部分のみ仕様を変更したい場合には、ベース（２１）は共用部品として変更することなく、カバー（４０）のみを変更したい仕様に合わせて組み合わせれば良い。従って、ベース（２１）とカバー（４０）を一つの部品として構成した場合に比べて、部品自体や設計上の自由度が高くなり、様々なデザインや構成のテーブル用ストッパ（２０）を容易に得ることができる。
【００１７】
前記［２］に記載のテーブル用ストッパ（２０）によれば、カバー（４０）は、ベース（２１）の一端より延出して、テーブル（１０）が格納状態にあるときの端縁部（１２）が当接する受け部（４３）を備える。従って、テーブル（１０）を格納するときに、テーブル（１０）の端縁部（１２）が背凭れ（１）の背面に直接押し当てられることはなく、受け部（４３）によって確実に受け止められる。これにより、背凭れ（１）の背面が変形したり損傷する虞はない。
【００１８】
テーブル（１０）が格納されると、背凭れ（１）の背面に沿ったテーブル（１０）の端縁部（１２）は、ベース（２１）の一端より延出したカバー（４０）の受け部（４３）と、ベース（２１）の一端より突出したラッチ（３０）の爪部（３１）とによって、前後の両面から挟み込まれた状態にロックされる。
【００１９】
カバー（４０）の受け部（４３）は、これと対向する爪部（３１）との距離が、テーブル（１０）の端縁部（１２）の厚さ寸法に対応するように設けられており、テーブル（１０）が格納時にガタ付くことはない。しかも、ベース（２１）やラッチ（３０）の仕様は何ら変更することなく、カバー（４０）だけ受け部（４３）の形状や配置等の仕様を変更するだけで、様々な厚さのテーブル（１０）にも容易に適用することができる。
【００２０】
前記［３］に記載のテーブル用ストッパ（２０）によれば、ラッチ（３０）の爪部（３１）の外側にはテーパ（３１ｂ）があり、テーブル（１０）を使用状態から格納状態に起こすとき、テーブル（１０）の端縁部（１２）を爪部（３１）のテーパ（３１ｂ）に押し付ければ、ラッチ（３０）を付勢部材（５０）の付勢力に抗して一時的に拘束位置から解除位置に後退させることができる。
【００２１】
そして、テーブル（１０）の端縁部（１２）が爪部（３１）のテーパ（３１ｂ）を越えると、ラッチ（３０）は付勢部材（５０）の付勢力により元の拘束位置に突出して、テーブル（１０）の端縁部（１２）の一面に係合する。このように、テーブル（１０）を格納するときは、ラッチ（３０）自体を人手で操作することなく、テーブル（１０）の動きに合わせて自動的にロックすることができる。
【００２２】
以上のようなテーブル用ストッパ（２０）は、具体的には例えば、前記［４］に記載したように構成すると良い。すなわち、ベース（２１）は、背凭れ（１）の背面上に連なる正面部（２２）と、該正面部（２２）より背凭れ（１）側に凹んで開口し、ラッチ（３０）の一部をスライド移動可能な状態で収納して支持する収納部（２３）と、を備える。ここでベース（２１）の正面部（２２）は、カバー（４０）で覆われるため、特にデザインを考慮する必要はない。
【００２３】
ラッチ（３０）は、その爪部（３１）に一体に連なる操作部（３２）と、該操作部（３２）の裏側より背凭れ（１）側に突出して前記収納部（２３）にスライド移動可能に収まる支持部（３４）と、を備える。このようにラッチ（３０）は、ロック解除するための操作部（３２）も一体に兼ねており、円滑な操作が可能となる。また、ラッチ（３０）はスライド移動するものであり、その操作時に背凭れ（１）の背面を背凭れ（１）側に押すことはなく、背凭れ（１）に余計な衝撃を加える虞もない。
【００２４】
カバー（４０）は、ラッチ（３０）の可動範囲を除いてベース（２１）の正面部（２２）を覆う表面部（４１）と、該表面部（４１）の一端より背凭れ（１）側に延出しラッチ（３０）の支持部（３４）が当接することで、ラッチ（３０）のスライド移動を規制する底面部（４２）と、を備え、前記受け部（４３）は、底面部（４２）の背凭れ（１）側より延出している。このようなカバー（４０）は、段状に折り曲げた板状に簡易に構成することができ、その仕様の変更も容易である。しかも、カバー（４０）は、ベース（２１）においてラッチ（３０）の可動範囲を除く正面側を覆うため、テーブル用ストッパ（２０）全体のデザインの要となる。
【００２５】
このような具体的な構成のテーブル用ストッパ（２０）では、さらに前記［５］に記載したように、カバー（４０）の表面部（４１）に、ラッチ（３０）の可動範囲に亘って開口部（４４）を形成する。この開口部（４４）のうちラッチ（３０）の操作部（３２）の一端が対向する端縁（４５）と、操作部（３２）の一端とが互いに対向する部位の少なくとも何れか一方に、各部位間の隙間が外側に広がるテーパ（４５ａ）を設けると良い。これにより、各部位間の隙間に、誤って指が挟まる事態を未然に防止することができる。
【発明の効果】
【００２６】
本発明に係るテーブル用ストッパによれば、部品の仕様の変更に容易に対応することが可能である。また、テーブルを背凭れの背面に沿わせて格納するときに確実にテーブルを受けることができると共に、様々な厚さのテーブルにも容易に適用することができる。
【図面の簡単な説明】
【００２７】
【図１】本発明の実施の形態に係るテーブル用ストッパを正面側から見た斜視図である。
【図２】本発明の実施の形態に係るテーブル用ストッパを正面側の別の角度から見た斜視図である。
【図３】本発明の実施の形態に係るテーブル用ストッパを示す正面図である。
【図４】本発明の実施の形態に係るテーブル用ストッパを示す側面図である。
【図５】本発明の実施の形態に係るテーブル用ストッパを示す平面図である。
【図６】本発明の実施の形態に係るテーブル用ストッパを両側中心箇所で切断した縦断面図である。
【図７】本発明の実施の形態に係るテーブル用ストッパを取付ネジ箇所で切断した縦断面図である。
【図８】本発明の実施の形態に係るテーブル用ストッパを示す分解斜視図である。
【図９】本発明の実施の形態に係るテーブル用ストッパを取り付けた座席の背凭れを示す斜視図である。
【発明を実施するための形態】
【００２８】
以下、図面に基づき、本発明を代表する実施の形態を説明する。
図１〜図９は、本発明の一実施の形態を示している。 
本実施の形態に係るテーブル用ストッパ２０は、座席の背凭れ１の背面側に設けられた起倒可能なテーブル１０を、背凭れ１の背面に沿わせた状態にロックおよびロック解除する機構である。なお、座席は、例えば、鉄道車両、航空機、自動車、船舶等の客室内に装備されるものである。
【００２９】
＜座席とテーブル１０の概要＞
図９において、座席の一部のみ示したが、座席は、図示省略した座部の後端側に背凭れ１が傾動可能に支持されてなる。背凭れ１の傾動角度は、周知のリクライニング機構により調整することができる。背凭れ１の背面側に、後方座席の着座者が使用することができるテーブル１０が設けられている。テーブル１０は、背凭れ１の背面に沿わせて格納する格納状態と、該格納状態より後方に倒して使用する使用状態とに起倒可能に、一対のアーム２，２を介して支持されている。
【００３０】
各アーム２の先端部間に、テーブル１０は一定範囲で回動可能に連結されている。各アーム２の基端部は、図示省略したが、例えば背凭れ１の回転中心と同軸上で座席の前後方向に揺動可能に枢支されている。ここで背凭れ１の回転中心と、アーム２の揺動中心とが同一軸上であれば、テーブル１０は、背凭れ１の傾動角度に拘わらず常に一定の使用状態に維持することができる。なお、背凭れ１の背面には、格納状態にあるテーブル１０が嵌まり込むように、テーブル１０の形状に合わせた凹み１ａが形成されている。
【００３１】
テーブル１０は、例えば硬質の合成樹脂の成形品であり、所定の板厚の略長方形状に形成されている。テーブル１０の基端縁部１１の両側には、左右一対の切欠１３が形成されている。各切欠１３に、前述した一対のアーム２，２の先端部がそれぞれ回動可能に連結されている。テーブル１０が格納状態にあるとき、テーブル１０の基端縁部１１は下向きとなる一方、テーブル１０の先端縁部１２は上向きとなる。
【００３２】
テーブル１０が格納状態にあるとき、テーブル用ストッパ２０によってテーブル１０の先端縁部１２がロックされる。テーブル用ストッパ２０のロックを解除すれば、テーブル１０を後方に倒して使用状態にすることができる。テーブル１０が使用状態にあるとき、各アーム２の先端部にある周知のロック機構によりテーブル１０は略水平に保持され、後方座席の着座者が使用することができる。なお、テーブル１０の先端縁部１２の裏面で、テーブル用ストッパ２０が係脱する箇所には、若干凹むような凹部１４を設けても良い。
【００３３】
＜テーブル用ストッパ２０の構成＞
図１〜図８の各図に示すように、テーブル用ストッパ２０は、背凭れ１（図９参照）の背面側に取り付けるベース２１と、該ベース２１に対して上下方向にスライド（移動）可能に支持されたラッチ３０と、ベース２１に固定されてラッチ３０をベース２１と共にスライド可能な状態に保持するカバー４０と、を有してなる。ベース２１、ラッチ３０、およびカバー４０は、全て合成樹脂の成形品である。
【００３４】
特に図８に示すように、ベース２１は、全体的には立方体状に形成され、背凭れ１の背面上に連なる正面部２２と、該正面部２２より内側（背凭れ１側）に凹んで開口し、ラッチ３０の一部をスライド可能な状態で収納して支持する収納部２３と、を備えている。正面部２２において収納部２３の開口の両側には、背凭れ１側に取り付ける取付ビスの取付孔２４が背後まで貫通して設けられている。取付孔２４は、上下方向に延びる長穴と一体になっている。図９に示すように、ベース２１は背凭れ１の背面において、テーブル１０が格納状態にあるとき上向きの先端縁部１２の直ぐ上側に配置される。なお、ベース２１の正面部２２は、カバー４０で覆われるため、特にデザインを考慮する必要はない。
【００３５】
収納部２３は、正面部２２の両側中央で上下に延びる凹溝状に設けられ、正面部２２に開口している。詳しく言えば収納部２３は、ラッチ３０の後述する支持部３４が収まる奥行きの略立方体状に凹んでおり、その下端側はベース２１の底面より下方に開口している。収納部２３の上部には、ベース２１の正面部２２より一段凹んで正面部２２と平行な隔壁２５が設けられている。隔壁２５は、次述するラッチ３０の操作部３２の上側裏面が摺接する部位となる。収納部２３の下半部の両側内壁には、上下方向に延びる一対の凸条２６，２６が設けられている。
【００３６】
ラッチ３０は、ベース２１に対して、テーブル１０を格納状態にロックする拘束位置と、テーブル１０のロックを解除する解除位置との間を上下方向にスライド可能に支持されている。ラッチ３０は、特に図８に示すように、全体的には上下方向に長い図示した形状であり、その下端側に、スライドに伴ってベース２１の下端（一端）より下方へ出没し、テーブル１０が格納状態にあるときの先端縁部１２の裏面（一面）に係脱する爪部３１を備えている。
【００３７】
ラッチ３０が下方の拘束位置に移動すると、爪部３１はベース２１の下端よりも下方に突出する。このときラッチ３０の爪部３１は、格納状態にあるテーブル１０の先端縁部１２の裏面に係合するように設定されている。一方、ラッチ３０が上方の解除位置に移動すると、爪部３１はベース２１の下端よりも上方に引っ込む。このときラッチ３０の爪部３１は、テーブル１０の先端縁部１２の裏面から離脱するように設定されている。
【００３８】
ラッチ３０にて爪部３１より上方に一体に連なる部位全体は、その正面側を使用者が指で触れて操作する操作部３２となっている。操作部３２の上端側には、特に指が引っ掛かり易いよう段部３３が突設されている。操作部３２の中央部分における裏側には、ベース２１の収納部２３にスライド可能に収まる支持部３４が、背凭れ１側に向かって突出するように設けられている。
【００３９】
支持部３４の両側面には、一対の蟻溝３４ａ，３４ａが設けられている。蟻溝３４ａには、前述したベース２１の収納部２３にある凸条２６が摺動可能に嵌合することで、ラッチ３０は収納部２３内を上下方向に円滑に案内される。また、操作部３２の内側（背凭れ１側）で支持部３４の手前の位置には、ラッチ３０の両側方向に貫通した状態で上下方向に延びるガイド溝３５が形成されている。
【００４０】
ガイド溝３５には、このガイド溝３５内を上下方向に相対的な移動可能な取付ピン２８が挿通し、取付ピン２８の両端は、前記ベース２１の収納部２３の両側に設けられた一対の止め孔２７，２７に軸支される。これによりラッチ３０は、後述のカバー４０をベース２１に固定する前でも、ベース２１から脱落しない状態に仮止めされる。すなわち、ガイド溝３５に対する取付ピン２８の挿通と、前述の蟻溝３４ａと凸条２６との嵌合関係により、ラッチ３０の支持部３４は、ベース２１の収納部２３から抜け出ることなく上下方向にスライド可能に支持される。
【００４１】
ラッチ３０は、下方の拘束位置が原位置とされ、上方の解除位置にスライドしたとき原位置に復帰するように付勢部材５０により付勢されている。本実施の形態の付勢部材５０は、ベース２１とラッチ３０の間に介装されたコイルバネからなる。図６に示すように、ラッチ３０の支持部３４には、ラッチ３０のスライド方向である上下方向に延びる底有りの挿入孔３６が設けられており、挿入孔３６の上端は、支持部３４の上端面に開口している。挿入孔３６の内径は、付勢部材５０の外径より若干大きく設定されており、挿入孔３６に、付勢部材５０の下半部が嵌入されている。
【００４２】
一方、挿入孔３６の開口が対向するベース２１の収納部２３における内側奥の天井面には、挿入孔３６に向かって下方に突出する軸部２９が設けられている。軸部２９の外径は、付勢部材５０の内径より若干小さく設定されており、軸部２９に、付勢部材５０の上半部が外嵌されている。ここで軸部２９は、ラッチ３０が拘束位置にあるとき、ラッチ３０の支持部３４にある挿入孔３６より上方に出るが、ラッチ３０が解除位置に移動すると、挿入孔３６に相対的に嵌り込む長さに形成されている。
【００４３】
ベース２１の軸部２９とラッチ３０の挿入孔３６とに介装された付勢部材５０は、ラッチ３０が拘束位置にあるとき初期の長さとなり、ラッチ３０の解除位置へのスライドに伴って弾発的に縮むものである。よって、付勢部材５０の付勢力は、固定されたベース２１からスライド可能なラッチ３０に対して伝達され、ラッチ３０は常に下方の拘束位置に付勢されている。
【００４４】
図２に示すように、ラッチ３０の爪部３１の外側には、テーブル１０を使用状態から格納状態に起こすとき、テーブル１０の先端縁部１２を押し付けることで、ラッチ３０を付勢部材５０の付勢力に抗して一時的に拘束位置から解除位置に後退させるためのテーパ３１ｂが設けられている。ここでテーパ３１ｂは、爪部３１の内側面３１ａの最下端より外側面に向かって上方へ傾斜するものであり、必ずしも平面的な傾斜に限らず、アール断面に形成されたものでも良い。
【００４５】
カバー４０は、ベース２１とは別体であり、複数ある仕様の中から予め選択されたものがベース２１に後付けされる。カバー４０は、特に図８に示すように、全体的には板状の図示した形状であり、ベース２１の正面部２２に被さる状態に固定される。カバー４０は、ベース２１の正面部２２にある取付孔２４に止める取付ビスを隠して意匠性を向上させると共に、背凭れ１のシート生地の端部処理を隠す役目を持ち、次述する受け部４３による戸当たりの機能も果たす部品である。
【００４６】
カバー４０は、ベース２１の正面部２２を覆う表面部４１と、該表面部４１の下端（一端）より背凭れ１側に延出する底面部４２と、該底面部４２の背凭れ１側の奥端より下方へ延出する受け部４３と、を備えている。表面部４１は、前記ベース２１の正面部２２全体を覆う大きさの長方形であり、正面部２２上のラッチ３０の可動範囲を除いて覆う部位である。表面部４１の両側中央には、ラッチ３０の可動範囲である収納部２３の開口に亘って重なる開口部４４が形成されている。開口部４４は、表面部４１の上端側より下端側に亘って連なり、さらに底面部４２の途中まで延びている。
【００４７】
底面部４２は、前記表面部４１の下端より背凭れ１側に略直角に延出して、前記ラッチ３０の支持部３４の下端が当接することで、ラッチ３０がベース２１から外れる下方へのスライドを規制する部位である。底面部４２の奥行きは、背凭れ１の背面にある凹み１ａの上端となる段部の奥行き（図９参照）とほぼ一致している。底面部４２の奥行きの略中間まで、前記表面部４１の上端側より続く開口部４４が延びている。この底面部４２における開口部４４の下端縁４６に、前記ラッチ３０における爪部３１の内側面３１ａが当接している。
【００４８】
受け部４３は、前記底面部４２の背凭れ１側の奥端より下方へ延出して、格納状態にあるテーブル１０の先端縁部１２の表面（他面）を当接させる部位である。よって、受け部４３は、ベース２１の下端（一端）よりも下方へ延出している。ここで受け部４３は、ラッチ３０が拘束位置にあるとき対向する爪部３１との距離が、テーブル１０の先端縁部１２の厚さ寸法に対応して設けられている。ここで厚さ寸法に「対応して」とは、受け部４３と爪部３１との距離が、先端縁部１２の厚さ寸法に必ずしも合致する場合に限らず、例えば、テーブル１０の先端縁部１２が若干薄い場合等も含まれる。なお、先端縁部１２の厚さ寸法は、厳密には凹部１４の凹みを加味したものであるが、以下、単に先端縁部１２の厚さと表現する。
【００４９】
図６において、テーブル１０の先端縁部１２の表面が当接する受け部４３の表面４３ａと、テーブル１０の先端縁部１２の裏面に係合する爪部３１の内側面３１ａとの距離Ｌが、テーブル１０の先端縁部１２の表面と裏面の距離とほぼ同一に設定されている。よって、カバー４０の受け部４３の表面４３ａとラッチ３０の爪部３１の内側面３１ａとの間には、テーブル１０の先端縁部１２の厚みとほぼ等しい空間が形成される。
【００５０】
言い換えれば、底面部４２の途中まである開口部４４の下端縁から、底面部４２の奥端までの寸法が、受け部４３と爪部３１との距離Ｌに相当し、かかる寸法が、テーブル１０の先端縁部１２の厚さに合致するよう設定される。よって、カバー４０は、その前記寸法がテーブル１０の種類（先端縁部１２の厚さ寸法）に応じて異なる仕様のものが用意される。このようにカバー４０は、複数の仕様の中から予め選択されたものがベース２１に後付けされる。
【００５１】
なお、爪部３１の内側面３１ａと受け部４３の表面４３ａとは、必ずしも厳密に平行に対向するとは限らず、若干の傾斜により上下で距離に多少の差がある場合、テーブル１０の先端縁部１２が当接する箇所間の距離Ｌを基準とする。また、前述したように、受け部４３と爪部３１との距離が、先端縁部１２の厚さ寸法に必ずしも合致する場合に限らず、例えば、ラッチ３０の動作の確実性を期すために、テーブル１０の先端縁部１２を若干薄く設定しても良い。
【００５２】
また、表面部４１における開口部４４のうち、ラッチ３０の操作部３２で爪部３１と反対側に位置する上端の段部３３が対向する上端縁４５と、前記段部３３とが互いに対向する部位の少なくとも何れか一方には、各部位間の隙間が外側に広がるテーパを設けると良い。本実施の形態では、開口部４４の上端縁４５に、開口内側に向かって下方へ傾斜するテーパ４５ａが設けられているが、段部３３にだけテーパを設けてもよく、両方に設けても良い。なお、テーパ４５ａの下側に連なる前記ベース２１の収納部２３の上端縁にも、テーパ４５ａと同一の傾斜面上に連なるテーパが設けられている。
【００５３】
このようなカバー４０は、ベース２１に後付けされるが、詳しく言えば底面部４２が、ベース２１の下端にブッシュ４７を介してネジ４８により固定される。なお、ネジ４８を外すことにより、カバー４０はベース２１に対して着脱可能である。底面部４２には、ネジ４８の取付孔４２ａが設けられている。また、表面部４１の裏側には、開口部４４の両側で背凭れ１側に突出する一対の突片４９，４９が設けられている。突片４９は、表面部４１をベース２１の正面部２２に合わせる際に、該正面部２２にある取付孔２４に嵌入させて位置決めするものである。
【００５４】
＜テーブル用ストッパ２０の作用＞
次に、テーブル用ストッパ２０の作用について説明する。
図９に示すように、テーブル１０が、背凭れ１の背面に沿った通常の格納状態にあるとき、テーブル１０の上向きとなる先端縁部１２は、テーブル用ストッパ２０によって当該位置にロックされている。
【００５５】
すなわち、テーブル用ストッパ２０のラッチ３０は、付勢部材５０の付勢力により下方の拘束位置に維持されている。このとき、ラッチ３０の爪部３１は、ベース２１の下端よりも下方に突出して、爪部３１の内側面３１ａが、テーブル１０の先端縁部１２の裏面に被さるように係合している。ここでテーブル１０の先端縁部１２の表面は、カバー４０における受け部４３の表面４３ａに当接している。
【００５６】
このように、テーブル１０が格納状態にあるとき、その先端縁部１２は、カバー４０の受け部４３とラッチ３０の爪部３１の間に挟み込まれた状態でロックされている。ここでテーブル１０の先端縁部１２の表面が当接する受け部４３の表面４３ａと、テーブル１０の先端縁部１２の裏面に係合する爪部３１の内側面３１ａとの距離Ｌ（図６参照）は、テーブル１０の先端縁部１２の厚さ寸法に合致して設けられている。従って、格納状態にロックされているテーブル１０がガタ付くことがない。
【００５７】
テーブル用ストッパ２０のカバー４０は、ベース２１とは別体であり、複数ある仕様の中から予め選択されたものがベース２１に後付けされる。従って、カバー４０の部分のみ仕様を変更したい場合には、ベース２１やラッチ３０は共用部品として何ら変更することなく、カバー４０のみを変更したい仕様に合わせて組み合わせれば良い。
【００５８】
これにより、ベース２１とカバー４０を一つの部品として構成した場合に比べて、部品自体や設計上の自由度が高まり、様々なデザインや構成のテーブル用ストッパ２０を容易に得ることができる。特にカバー４０は、段状に折り曲げた板状であり簡易に構成することができ、その仕様の変更も容易であり、ベース２１の正面部２２（ラッチ３０の可動範囲を除く）を覆うため、テーブル用ストッパ２０全体のデザインの要となる。しかも、カバー４０をベース２１に後付けするネジ４８は、カバー４０の底面部４２に固定される。よってネジ４８は、テーブル用ストッパ２０の正面側から通常は見えないため、カバー４０の見栄えが損なわれることはない。
【００５９】
カバー４０の具体的な仕様としては、例えば、前述した受け部４３と爪部３１との距離Ｌ、すなわち底面部４２における開口部４４の下端縁４６から底面部４２の奥端までの寸法が、テーブル１０の先端縁部１２の具体的な厚さに応じて設定されたものが該当する。あるいは、表面部４１の正面視の形状や色、塗装等による模様が、背凭れ１のデザインに応じて異なるように用意されたもの等も該当する。何れにせよカバー４０は、複数ある仕様の中から予め選択されたものがベース２１に後付けされる。
【００６０】
特にカバー４０は、前述した受け部４３を備えるため、テーブル１０を格納するとき、テーブル１０の先端縁部１２が背凭れ１の背面に直接押し当てられることはなく、受け部４３によって確実に受け止められる。これにより、背凭れ１の背面が変形したり損傷する虞はない。しかも、カバー４０は、受け部４３の具体的な形状や配置等について、前述したように複数用意した仕様の中から適宜選択できるため、様々な厚さのテーブル１０にも容易に適用することが可能となる。
【００６１】
次に、テーブル１０を後方に倒した使用状態にするには、テーブル用ストッパ２０のラッチ３０を、付勢部材５０の付勢力に抗して上方の解除位置にスライドさせる。ラッチ３０が解除位置まで移動すると、爪部３１はベース２１の下端より上方に引っ込み、爪部３１の内側面３１ａが、テーブル１０の先端縁部１２の裏面から離脱する。これにより、テーブル１０の先端縁部１２のロックが解除され、テーブル１０を使用状態に倒すことができる。
【００６２】
ここでのラッチ３０の操作は、その爪部３１に一体に連なる操作部３２に指を掛けて上方に押せば良い。ラッチ３０は、ロック解除するための操作部３２も一体に兼ねており、円滑な操作が可能である。また、ラッチ３０は上下方向にスライドするものであり、その操作時に背凭れ１の背面を背凭れ１側に押すことはなく、背凭れ１に余計な衝撃を加える虞もない。なお、操作部３２の上方に表れる隔壁２５には、ラッチ３０の操作方向を示す矢印が記されている。
【００６３】
着座者がラッチ３０を操作するときは、特に操作部３２の上端にある段部３３に指を掛けやすいが、この段部３３と対向する開口部４４の上端縁４５には、段部３３との間の隙間が外側に広がるテーパ４５ａが設けられている。これにより、操作部３２の段部３３と開口部４４の上端縁４５との間の隙間に、誤って指が挟まる事態を未然に防止することができる。
【００６４】
また、テーブル１０の使用が終了して元の格納状態に戻すには、テーブル１０をそのまま上方に向かって起こすように回動させる。これにより、テーブル１０が背凭れ１にある凹み１ａに格納される。このとき、テーブル１０の先端縁部１２を、元の拘束位置にある爪部３１のテーパ３１ｂに押し付けることで、ラッチ３０は、付勢部材５０の付勢力に抗して上方の解除位置まで後退する。
【００６５】
そして、テーブル１０の先端縁部１２が爪部３１のテーパ３１ｂを越えると、先端縁部１２はカバー４０の受け部４３に当接する。このタイミングで爪部３１の先端縁部１２に対する係合が解かれるため、ラッチ３０は付勢部材５０の付勢力により元の拘束位置に突出する。これにより、爪部３１の内側面３１ａが、テーブル１０の先端縁部１２の裏面に自動的に重なり係合する。従って、テーブル１０を格納するときは、ラッチ３０自体を人手で操作することなく、テーブル１０の動きに合わせて自動的にロックすることができる。
【００６６】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、テーブル用ストッパ２０を適用する座席は、鉄道車両、航空機、自動車、船舶等の客室内に装備される乗物用の座席に限らず、前後に並ぶように設置する様々な座席に広く利用することができる。また、テーブル用ストッパ２０を構成するベース２１、ラッチ３０、カバー４０等の構成部品は、図示した形状のものに限定されることはない。
【産業上の利用可能性】
【００６７】
本発明に係るテーブル用ストッパは、特に鉄道車両、航空機、自動車、船舶等の客室内に設置される乗物用の座席の他、前後に並ぶように設置する様々な座席に広く利用することができる。
【符号の説明】
【００６８】
１…背凭れ
１０…テーブル
２０…テーブル用ストッパ
２１…ベース
２２…正面部
２３…収納部
３０…ラッチ
３１…爪部
３１ａ…内側面
３１ｂ…テーパ
３２…操作部
３３…段部
３４…支持部  
４０…カバー
４１…表面部
４２…底面部
４３…受け部
４４…開口部
４５…上端縁
４５ａ…テーパ
【図１】
2020082888.tif 000003
【図２】
2020082888.tif 000004
【図３】
2020082888.tif 000005
【図４】
2020082888.tif 000006
【図５】
2020082888.tif 000007
【図６】
2020082888.tif 000008
【図７】
2020082888.tif 000009
【図８】
2020082888.tif 000010
【図９】
2020082888.tif 000011